(57)【要約】      （修正有）【課題】非使用時に洗浄ユニットが外部に露出しないトイレ用洗浄装置を提供する。【解決手段】トイレ用洗浄装置１０は、吐水口２１ａを有する吐水ヘッド２１と、吐水ヘッド２１に接続された可撓性のホース２２と、を含む洗浄ユニット２０と、洗浄ユニット２０を出し入れするための開口部３１ａを有し洗浄ユニット２０を収納する収納室３１と、開口部３１ａを閉塞可能な扉と、ホース２２の吐水ヘッド２１と反対側の端部に接続され洗浄ユニット２０に給水する給水部３３と、を含むキャビネット３０と、を備える。【選択図】図２
2015104492.tif 000002
【特許請求の範囲】
【請求項１】
吐水口を有する吐水ヘッドと、前記吐水ヘッドに接続された可撓性のホースと、を含む洗浄ユニットと、
前記洗浄ユニットを出し入れするための開口部を有し前記洗浄ユニットを収納する収納室と、前記開口部を閉塞可能な扉と、前記ホースの前記吐水ヘッドと反対側の端部に接続され前記洗浄ユニットに給水する給水部と、を含むキャビネットと、
を備えたことを特徴とするトイレ用洗浄装置。
【請求項２】
前記収納室から取り出された前記吐水ヘッドを保持する外部ホルダをさらに備えたことを特徴とする請求項１記載のトイレ用洗浄装置。
【請求項３】
前記収納室の外側に設けられ上面を有する棚板をさらに備えたことを特徴とする請求項２記載のトイレ用洗浄装置。
【請求項４】
前記外部ホルダは、前記棚板に設けられ、前記棚板の下に隠れる第１位置と、前記棚板から少なくとも一部が突き出て前記吐水ヘッドの保持を可能にする第２位置と、に移動することを特徴とする請求項３記載のトイレ用洗浄装置。
【請求項５】
前記収納室は、椅子を収納することを特徴とする請求項１〜４のいずれか１つに記載のトイレ用洗浄装置。
【請求項６】
前記キャビネットは、前記収納室内に設けられ前記収納室に収納された前記吐水ヘッドを保持する内部ホルダをさらに含むことを特徴とする請求項１〜５のいずれか１つに記載のトイレ用洗浄装置。
【請求項７】
前記給水部は、前記洗浄ユニットへの給水及び給水の停止を切り替える第１操作部を含み、
前記吐水ヘッドは、前記給水部から給水された状態で前記吐水口からの吐水及び吐水の停止を切り替える第２操作部を含むことを特徴とする請求項１〜６のいずれか１つに記載のトイレ用洗浄装置。
【請求項８】
前記キャビネットの上に設けられた手洗い器をさらに備えたことを特徴とする請求項１〜７のいずれか１つに記載のトイレ用洗浄装置。
【発明の詳細な説明】
【技術分野】
【０００１】
本発明の態様は、一般的に、トイレ用洗浄装置に関する。
【背景技術】
【０００２】
トイレ内で人体や器具などを洗浄する行為が必要とされる場合がある。例えば、人工肛門や人工膀胱などの保持者であるオストメイトと呼ばれる方々は、身体の腹部に排泄物（以下、汚物という）を溜めておくための袋、いわゆるパウチを装着している。オストメイトは、時折、トイレにおいて溜まった汚物を廃棄したり、ストーマ（腹部に取り付けられた人工の排泄口）、ストーマ付近の腹部などに付着した汚物を洗い流すなどの作業を行う必要がある。
【０００３】
特許文献１に示されているように、近年では、オストメイトが外出先で気兼ねなく上記の作業を行うことのできるよう、多目的トイレなどに、便器とは別に専用の汚物流しユニットが設置されるようになってきている。
【０００４】
一方、一般家庭においては、設置スペースや経済性の問題から、上記のような専用の汚物流しユニットをトイレ空間に設置することが難しい。このため、オストメイトの方々の多くが、家庭内においては、通常の便器に汚物を廃棄しているのが現状である。
【０００５】
通常の便器に汚物を廃棄する場合、手やストーマケア用品（例えば、パウチの交換の際に用いられる各種用品など）に付着した汚物を洗い流すことができない。例えば、シャワーなどの洗浄ユニットを便器の配管に取り付けて器具などを洗浄できるようにすることも考えられる。しかしながら、この場合には、非使用時においても洗浄ユニットが外部に露出してしまう。オストメイトは、健常者との外見上の違いがあまりないため、専用の器具を設置することによって周囲にオストメイトであることを認知されたくない、また使用者の同居者への配慮などから特殊な器具の設置を控えたい、という要望もある。
【０００６】
このように、オストメイトの方々においては、既存のトイレ空間に比較的容易に設置でき、器具などを洗浄できるとともに、非使用時において洗浄ユニットが外部に露出しないトイレ用洗浄装置が望まれている。
【０００７】
また、こうした要望は、オストメイトの方々に限らない。例えば、介護従事者において、尿を便器に廃棄した後の尿瓶をトイレ空間内で洗浄できるようにしたいという要望がある。さらには、便器を洗浄するためにトイレ空間内に洗浄装置を設置したいという要望もある。これらの場合においても、トイレ空間内の美観が損なわれないよう、非使用時に洗浄ユニットが外部に露出しないようにすることが望まれる。
【先行技術文献】
【特許文献】
【０００８】
【特許文献１】特開２００８−２８４０４２号公報
【発明の概要】
【発明が解決しようとする課題】
【０００９】
本発明は、かかる課題の認識に基づいてなされたものであり、非使用時に洗浄ユニットが外部に露出しないトイレ用洗浄装置を提供することを目的とする。
【課題を解決するための手段】
【００１０】
第１の発明は、吐水口を有する吐水ヘッドと、前記吐水ヘッドに接続された可撓性のホースと、を含む洗浄ユニットと、前記洗浄ユニットを出し入れするための開口部を有し前記洗浄ユニットを収納する収納室と、前記開口部を閉塞可能な扉と、前記ホースの前記吐水ヘッドと反対側の端部に接続され前記洗浄ユニットに給水する給水部と、を含むキャビネットと、を備えたことを特徴とするトイレ用洗浄装置である。
【００１１】
このトイレ用洗浄装置によれば、洗浄ユニットにより、便器や汚物の付着した器具などをトイレ空間内において洗浄できる。そして、非使用時においては、洗浄ユニットをキャビネット内に収納でき、洗浄ユニットが外部に露出することを抑制できる。
【００１２】
また、第２の発明は、第１の発明において、前記収納室から取り出された前記吐水ヘッドを保持する外部ホルダをさらに備えたことを特徴とするトイレ用洗浄装置である。
【００１３】
このトイレ用洗浄装置によれば、使用時に吐水ヘッドを手元の近くなどに一時的に置くことができ、使用者の利便性を高めることができる。
【００１４】
また、第３の発明は、第２の発明において、前記収納室の外側に設けられ上面を有する棚板をさらに備えたことを特徴とするトイレ用洗浄装置である。
【００１５】
このトイレ用洗浄装置によれば、洗浄に用いる器具などを置くことができ、使用者の利便性をより高めることができる。
【００１６】
また、第４の発明は、第３の発明において、前記外部ホルダは、前記棚板に設けられ、前記棚板の下に隠れる第１位置と、前記棚板から少なくとも一部が突き出て前記吐水ヘッドの保持を可能にする第２位置と、に移動することを特徴とするトイレ用洗浄装置である。
【００１７】
このトイレ用洗浄装置によれば、不必要な時に外部ホルダを棚板の下に隠すことができ、トイレ空間の美観の低下やトイレの使用時に外部ホルダが邪魔になることなどを抑制できる。
【００１８】
また、第５の発明は、第１〜第４のいずれか１つの発明において、前記収納室は、椅子を収納することを特徴とするトイレ用洗浄装置である。
【００１９】
このトイレ用洗浄装置によれば、トイレ空間に椅子を持ち運ぶ手間を省くことができ、使用者の利便性をより高めることができる。また、非使用時に椅子が外部に露出することも抑制できる。
【００２０】
また、第６の発明は、第１〜第５のいずれか１つの発明において、前記キャビネットは、前記収納室内に設けられ前記収納室に収納された前記吐水ヘッドを保持する内部ホルダをさらに含むことを特徴とするトイレ用洗浄装置である。
【００２１】
このトイレ用洗浄装置によれば、洗浄ユニットを収納室内に効率良く適切に収納できる。
【００２２】
また、第７の発明は、第１〜第６のいずれか１つの発明において、前記給水部は、前記洗浄ユニットへの給水及び給水の停止を切り替える第１操作部を含み、前記吐水ヘッドは、前記給水部から給水された状態で前記吐水口からの吐水及び吐水の停止を切り替える第２操作部を含むことを特徴とするトイレ用洗浄装置である。
【００２３】
このトイレ用洗浄装置によれば、洗浄時に吐水ヘッドを持ったまま吐水及び吐水の停止を切り替えることができ、使用者の利便性をより高めることができる。
【００２４】
また、第８の発明は、第１〜第７のいずれか１つの発明において、前記キャビネットの上に設けられた手洗い器をさらに備えたことを特徴とするトイレ用洗浄装置である。
【００２５】
このトイレ用洗浄装置によれば、トイレ空間内において手を洗うことができ、使用者の利便性をより高めることができる。また、手洗い器を別に設ける場合に比べて、キャビネットの設置スペースを有効に活用できる。
【発明の効果】
【００２６】
本発明の態様によれば、非使用時に洗浄ユニットが外部に露出しないトイレ用洗浄装置が提供される。
【図面の簡単な説明】
【００２７】
【図１】図１（ａ）及び図１（ｂ）は、本発明の実施の形態に係るトイレ用洗浄装置を模式的に表す外観図である。
【図２】本発明の実施の形態に係るトイレ用洗浄装置の一部を模式的に表す部分断面図である。
【図３】本発明の実施の形態に係るトイレ用洗浄装置を模式的に表す平面図である。
【図４】図４（ａ）及び図４（ｂ）は、外部ホルダを模式的に表す平面図である。
【図５】図５（ａ）及び図５（ｂ）は、外部ホルダの変形例を模式的に表す平面図である。
【図６】図６（ａ）及び図６（ｂ）は、外部ホルダの別の変形例を模式的に表す平面図である。
【発明を実施するための形態】
【００２８】
以下、本発明の実施の形態について図面を参照しつつ説明する。なお、各図面中、同様の構成要素には同一の符号を付して詳細な説明は適宜省略する。  
図１（ａ）及び図１（ｂ）は、本発明の実施の形態に係るトイレ用洗浄装置を模式的に表す外観図である。  
図１（ａ）は、トイレ用洗浄装置１０の使用時の状態を表し、図１（ｂ）は、トイレ用洗浄装置１０の非使用時の状態を表す。
【００２９】
図１（ａ）及び図１（ｂ）に表したように、トイレ用洗浄装置１０は、便器５が設けられたトイレ空間ＴＳに設置される。便器５は、例えば、便座に座った使用者の「おしり」などに向けて水を噴射し、「おしり」などを洗浄する衛生洗浄装置６を有する。衛生洗浄装置６は、必要に応じて設けられ、省略可能である。
【００３０】
トイレ用洗浄装置１０は、例えば、０８１２サイズ（標準空間寸法：開口７８０ｍｍ×奥行き１２３５ｍｍ）のトイレ空間ＴＳに設置して使用される。すなわち、トイレ用洗浄装置１０は、一般家庭などのトイレ空間ＴＳに設置して使用される。
【００３１】
図２は、本発明の実施の形態に係るトイレ用洗浄装置の一部を模式的に表す部分断面図である。  
図３は、本発明の実施の形態に係るトイレ用洗浄装置を模式的に表す平面図である。  
図１〜図３に表したように、トイレ用洗浄装置１０は、洗浄ユニット２０と、キャビネット３０と、を備える。
【００３２】
洗浄ユニット２０は、吐水ヘッド２１と、ホース２２と、を含む。吐水ヘッド２１は、吐水口２１ａを有する。吐水ヘッド２１は、例えば、シャワーヘッドである。ホース２２は、吐水ヘッド２１に接続されている。ホース２２は、可撓性を有する。ホース２２は、例えば、ゴムホースである。ホース２２は、可撓性の有る金属性のホースなどでもよい。
【００３３】
キャビネット３０は、収納室３１と、扉３２と、給水部３３と、を含む。収納室３１は、洗浄ユニット２０を出し入れするための開口部３１ａを有する。収納室３１は、洗浄ユニット２０を収納する。この例において、収納室３１は、一面が開放された略直方体状の箱形状である。収納室３１の形状は、これに限ることなく、洗浄ユニット２０を収納可能な任意の形状でよい。
【００３４】
開口部３１ａの向く方向をキャビネット３０の正面とする時、キャビネット３０の幅（収納室３１の幅）は、例えば、４０ｃｍ以上５０ｃｍ以下である。キャビネット３０の高さは、例えば、６０ｃｍ以上８０ｃｍ以下である。キャビネット３０の厚さは、例えば、１５ｃｍ以上３０ｃｍ以下である。
【００３５】
キャビネット３０は、例えば、便器５に着座した使用者の向く方向を前方とした時に、便器５よりも手前に配置される。キャビネット３０は、背面をトイレ空間ＴＳの壁面に密着させ、開口部３１ａを側方に向けた状態で、便器５の手前に配置される。開口部３１ａの向く方向は、前後方向に対して略直交する。これにより、０８１２サイズのトレイ空間にトイレ用洗浄装置１０を適切に配置することができる。トイレ用洗浄装置１０の大きさは、これに限ることなく、トイレ空間ＴＳの大きさに合わせて適宜決定すればよい。
【００３６】
扉３２は、開口部３１ａを開放する開き位置と、開口部３１ａを塞ぐ閉じ位置と、に移動する。開き位置は、例えば、図１（ａ）に示す位置である。閉じ位置は、例えば、図１（ｂ）に示す位置である。扉３２は、例えば、ヒンジ部３２ａを中心に回転することにより、閉じ位置と開き位置とに移動する片開き扉である。扉３２は、例えば、スライド式や観音開き式などでもよい。扉３２は、溝に嵌め込まれた複数枚の戸板がスライドして開口部３１ａを開閉する引き違い戸や、複数枚の戸板を折り畳んで開口部３１ａを開閉する折れ戸などでもよい。扉３２は、収納室３１に取り付けることによって開口部３１ａを塞ぎ、収納室３１から取り外すことで開口部３１ａを開放させる着脱式の扉（蓋）でもよい。扉３２ａは、開口部３１ａを閉塞可能であればよい。より詳しくは、扉３２は、開口部３１ａの開放及び閉塞を切り替え可能であればよい。
【００３７】
また、ヒンジ部３２ａは、図３に表したように、手前側に設定する。すなわち、扉３２が、手前側に開き、便器５の前で作業する使用者から離れるようにする。これにより、例えば、洗浄作業時に扉３２が邪魔になることを抑制できる。例えば、作業効率の低下を抑制できる。
【００３８】
給水部３３は、ホース２２の吐水ヘッド２１と反対側の端部に接続され、洗浄ユニット２０に給水する。給水部３３から洗浄ユニット２０に給水することにより、吐水ヘッド２１の吐水口２１ａから水が吐水される。
【００３９】
給水部３３は、例えば、給水タンクや水道管などの給水源に接続され、給水源から供給される水を洗浄ユニット２０に給水する。なお、給水源は、例えば、便器５や衛生洗浄装置６などでもよい。また、例えば、給水タンクとポンプとを含む給水源を給水部３３に設けてもよい。この場合、給水源から供給する水は、通常の水でもよいし、次亜塩素酸溶液などの除菌水でもよい。
【００４０】
トイレ用洗浄装置１０では、例えば、オストメイトの方々がパウチに溜まった汚物を便器５に廃棄する際に、手やストーマケア用品などの装具に付着した汚物をトイレ空間ＴＳ内で洗い流すことができる。また、トイレ空間ＴＳ内において尿瓶の洗浄などを行うこともできる。さらには、便器５の洗浄に用いることもできる。
【００４１】
そして、トイレ用洗浄装置１０では、洗浄ユニット２０の非使用時に、洗浄ユニット２０をキャビネット３０内に収納できる。これにより、例えば、トイレ空間ＴＳの美観の低下を抑制できる。
【００４２】
また、オストメイトの方々においては、専用の汚物流しユニットなどを設ける場合に比べて、設置コスト及び設置スペースを削減できる。さらには、非使用時に洗浄ユニット２０などが外部に露出しないので、オストメイトであることが周囲に認知されてしまうことを抑制できる。例えば、設置に対する心的ストレスを緩和させることができる。トイレ用洗浄装置１０では、専用のユニットを設ける場合に比べて、一般家庭などの既存のトイレ空間ＴＳにも比較的容易に設置することができる。
【００４３】
トイレ用洗浄装置１０は、棚板３４をさらに含む。棚板３４は、収納室３１の外側に設けられる。棚板３４は、器具などを載置可能な上面３４ａを有する。棚板３４は、開口部３１ａの向く方向に対して垂直な方向に延びる。棚板３４は、例えば、後方に向かって延びる。すなわち、棚板３４は、便器５の手前に配置されたキャビネット３０から便器５側に向かって延びる。棚板３４は、扉３２のヒンジ部３２ａと反対側に設けられる。棚板３４は、例えば、幅方向（左右方向）においてトイレ空間ＴＳの壁面と便器５との間に延在する。
【００４４】
棚板３４を設けることにより、例えば、洗浄に用いる器具などを棚板３４の上面３４ａに置くことができ、使用者の利便性を高めることができる。また、上記のように、キャビネット３０を便器５の手前に配置し、便器５側に向けて棚板３４を延在させる。これにより、例えば、トイレ用洗浄装置１０をトイレ空間ＴＳ内に効率良く配置できる。例えば、洗浄時の作業性を高めることができる。なお、棚板３４の延びる方向は、開口部３１ａの向く方向に対して完全に垂直である必要はなく、開口部３１ａの向く方向に対して垂直な方向に延びる成分を有していればよい。
【００４５】
棚板３４の前後方向の長さは、例えば、６０ｃｍ以上８０ｃｍ以下である。棚板３４の幅は、例えば、５ｃｍ以上２０ｃｍ以下である。これにより、例えば、洗浄に用いる器具などを適切に棚板３４の上に置くことができる。また、例えば、０８１２サイズのトレイ空間に棚板３４を適切に配置することができる。棚板３４の大きさは、これに限ることなく、トイレ空間ＴＳの大きさなどに合わせて適宜決定すればよい。また、この例において、棚板３４の高さは、キャビネット３０の高さと実質的に同じである。棚板３４の高さは、キャビネット３０の高さと異なってもよい。
【００４６】
トイレ用洗浄装置１０は、外部ホルダ４０をさらに含む。外部ホルダ４０は、収納室３１から取り出された吐水ヘッド２１を保持する。外部ホルダ４０は、棚板３４に設けられる。より具体的には、棚板３４の下面に設けられる。また、棚板３４の下面には、トイレットペーパを保持するペーパホルダ４２が設けられている。ペーパホルダ４２は、例えば、キャビネット３０と外部ホルダ４０との間に配置される。
【００４７】
図４（ａ）及び図４（ｂ）は、外部ホルダを模式的に表す平面図である。  
図４（ａ）及び図４（ｂ）に表したように、外部ホルダ４０は、回転軸４０ａを中心に、棚板３４に回動可能に取り付けられる。これにより、外部ホルダ４０は、図４（ａ）に表す第１位置と、図４（ｂ）に表す第２位置と、に移動する。第１位置にある外部ホルダ４０は、棚板３４の下に隠れる。第２位置にある外部ホルダ４０は、棚板３４から少なくとも一部が突き出て吐水ヘッド２１の保持を可能にする。
【００４８】
これにより、不必要な時に外部ホルダ４０を棚板３４の下に隠すことができ、トイレ空間ＴＳの美観の低下やトイレの使用時に外部ホルダ４０が邪魔になることなどを抑制できる。また、例えば、使用者がオストメイトであることを周囲に認知されてしまうことの抑制効果を高めることができる。
【００４９】
収納室３１は、椅子４４をさらに収納する。椅子４４は、板状に折り畳み可能な折り畳み式である。扉３２の内面には、椅子４４を保持するための保持部３５が設けられている。保持部３５は、例えば、スロット状である。板状に折り畳んだ椅子４４を保持部３５に挿し込む。これにより、椅子４４が、保持部３５に保持される。保持部３５に椅子４４を保持させた状態で扉３２を閉じる。これにより、保持部３５及び椅子４４が収納室３１内に入り込み、椅子４４が収納室３１に収納される。椅子４４は、例えば、分解式でもよい。椅子４４は、収納室３１に収納可能な任意の構造でよい。収納室３１に収納可能であれば、折り畳み式や分解式などでなくてもよい。
【００５０】
椅子４４は、洗浄作業時に、便器５の手前に配置して使用される（図１（ａ）、図３参照）。椅子４４の高さは、例えば、便器５の高さと同程度である。椅子４４の高さは、例えば、３０ｃｍ以上５０ｃｍ以下である。これにより、椅子４４に腰かけて洗浄を行うことができ、洗浄作業を楽な姿勢で行うことができる。椅子４４の座面の横幅は、例えば、２０ｃｍ以上４０ｃｍ以下である。椅子４４の座面の縦幅は、例えば、１５ｃｍ以上２５ｃｍ以下である。椅子４４の大きさや形状は、上記に限るものではない。椅子４４の大きさ及び形状は、洗浄作業を楽な姿勢で行うことができる任意の大きさ及び形状でよい。
【００５１】
例えば、使用者が便器５側を向いて椅子４４に座った状態において、作業中心から半径５０ｃｍの範囲内に、棚板３４、外部ホルダ４０及びペーパホルダ４２を配置する（図３参照）。すなわち、これらの各部を、使用者の片手の届く範囲内に配置する。これにより、例えば、効率良く洗浄作業を行うことができる。トイレ用洗浄装置１０の使い易さを向上できる。ここで、作業中心とは、例えば、便器５の先端から１０ｃｍ程度前方の位置である。
【００５２】
キャビネット３０は、内部ホルダ４６をさらに含む。内部ホルダ４６は、収納室３１内に設けられ、収納室３１に収納された吐水ヘッド２１を保持する。これにより、洗浄ユニット２０を収納室３１内に効率良く適切に収納できる。また、収納室３１内には、フック４７とトレイ４８とがさらに設けられている。フック４７は、収納室３１に収納されたホース２２を支持する。これにより、洗浄ユニット２０の収納性をより高めることができる。トレイ４８は、収納された洗浄ユニット２０から滴る水滴を受ける。トレイ４８は、収納室３１から取り出し、溜まった水を捨てたり、トレイ４８自体を清掃したりできる。これにより、例えば、収納室３１内の衛生性を高めることができる。
【００５３】
給水部３３は、第１操作部３６を含む。第１操作部３６は、洗浄ユニット２０への給水及び給水の停止を切り替える。第１操作部３６は、例えば、管路内に設けられたバルブに接続されており、バルブを開閉することにより、給水及び給水の停止を切り替える。第１操作部３６は、いわゆる元栓である。第１操作部３６は、例えば、ハンドルやレバーである。第１操作部３６は、例えば、電磁弁に開閉の切り替えを指示するスイッチなどでもよい。第１操作部３６は、洗浄ユニット２０への給水及び給水の停止が可能な任意の部材でよい。
【００５４】
吐水ヘッド２１は、第２操作部２３を含む。第２操作部２３は、給水部３３から給水された状態で吐水口２１ａからの吐水及び吐水の停止を切り替える。このように、吐水ヘッド２１に設けられた第２操作部２３で一時的に止水できるようにする。これにより、洗浄時に吐水ヘッド２１を持ったまま吐水及び吐水の停止を切り替えることができ、利便性を高めることができる。
【００５５】
第２操作部２３は、例えば、管路内に設けられたバルブに接続されており、バルブを開閉することにより、給水及び給水の停止を切り替える。第２操作部２３は、例えば、押しボタンである。例えば、第２操作部２３を一度押すと吐水口２１ａから吐水され、第２操作部２３をもう一度押すと吐水が停止される。例えば、第２操作部２３を操作していない時には、吐水が停止された状態としておき、第２操作部２３を操作した時にのみ吐水口２１ａから吐水されるようにしてもよい。
【００５６】
トイレ用洗浄装置１０は、手洗い器５０をさらに含む。手洗い器５０は、キャビネット３０の上に設けられる。手洗い器５０は、水栓５１と、ボウル５２と、を含む。水栓５１は、操作部５１ａを有し、操作部５１ａの操作に応じて水を吐水する。水栓５１は、例えば、赤外線センサなどによって手を検知し、センサの検知に応じて自動的に吐水を行ってもよい。ボウル５２は、水栓５１から吐水された水を受け、外部に排出する。このように、手洗い器５０を設けることにより、トイレ空間ＴＳ内において手を洗うことができ、利便性を高めることができる。また、手洗い器５０を別に設ける場合に比べて、キャビネット３０の設置スペースを有効に活用できる。
【００５７】
水栓５１は、給水部３３に接続されている。給水部３３は、分岐配管３７を含む。分岐配管３７は、１つの入口と２つの出口とを含む。分岐配管３７の一方の出口は、ホース２２に接続される。第１操作部３６は、ホース２２と分岐配管３７との間の配管経路上に設けられる。分岐配管３７の他方の出口は、水栓５１に接続される。これにより、第１操作部３６の操作によって洗浄ユニット２０に給水されるとともに、操作部５１ａの操作によって水栓５１から吐水される。
【００５８】
ボウル５２は、排水管５３に接続されている。排水管５３は、キャビネット３０内に設けられ、下水管などに接続される。これにより、ボウル５２の受けた水が、トイレ用洗浄装置１０の外部に排出される。
【００５９】
次に、オストメイトの場合を例に、トイレ用洗浄装置１０の作用について説明する。  
オストメイトの使用者は、便器５及びトイレ用洗浄装置１０の設置されたトイレ空間ＴＳに入室した後、まず、キャビネット３０の扉３２を開け、保持部３５に保持された椅子４４を取り出す。折り畳まれた椅子４４を広げて便器５の前に設置し、便器５と向かい合うように椅子４４に座る。このように、キャビネット３０に椅子４４を収納できるようにすることで、トイレ空間ＴＳの外から椅子４４を持ち運ぶ手間を省くことができる。また、不要な時に椅子４４が露出しないので、椅子４４が邪魔になったり、トイレ空間ＴＳの美観が損なわれることもない。そして、椅子４４に座ることで、パウチに溜まった汚物を便器５に排出する作業や排出後に手やストーマケア用品などの装具を洗浄する作業を楽な姿勢で行うことができる。
【００６０】
使用者は、椅子４４に着座した後、内部ホルダ４６に保持された吐水ヘッド２１を収納室３１内から取り出す。外部ホルダ４０を第１位置から第２位置に移動させ、吐水ヘッド２１を外部ホルダ４０にセットする。吐水ヘッド２１の第２操作部２３が閉じ状態であることを確認し、第１操作部３６を操作して洗浄ユニット２０への給水を開始する。なお、吐水ヘッド２１のセットは、椅子４４のセットの前に行ってもよい。
【００６１】
使用者は、椅子４４及び洗浄ユニット２０を準備した後、汚物を排出した後のパウチを拭くためのペーパを予め用意する。例えば、ペーパホルダ４２に保持されたトイレットペーパを所定の長さに切り、それを丸めて棒状にし、棚板３４の上面３４ａの上に置く。使用者は、例えば、棒状に丸めたペーパを複数用意する。このように、棚板３４を設けることで、丸めたペーパなどを置いておくことができる。例えば、作業効率を向上させることができる。
【００６２】
使用者は、ペーパを用意した後、パウチ先端の閉鎖具を取り外し、パウチ先端の排出口の部分を外側に折り返す。そして、パウチに溜まった汚物を搾り出すようにして便器５に排出する。この時、外した閉鎖具なども棚板３４の上に置くことができる。
【００６３】
汚物を排出した後、外部ホルダ４０に保持された吐水ヘッド２１を取り、第２操作部２３を操作して吐水ヘッド２１から吐水させる。これにより、手やストーマケア用品などの装具や便器５などに付着した汚物も洗い流すことができる。ストーマケア用品などの装具や手などを洗浄した後、第２操作部２３を操作して吐水を停止させ、吐水ヘッド２１を外部ホルダ４０に戻す。このように、外部ホルダ４０を設けることにより、吐水ヘッド２１を手元近くに一時的に置くことができ、作業効率を向上させることができる。
【００６４】
ストーマケア用品などの装具や手などを洗浄した後、予め用意したペーパでパウチの先端を拭く。パウチ先端の外面を拭くとともに、棒状にしたペーパを挿し込むようにして、排出口付近のパウチの内面も拭く。パウチ先端の汚物を拭いた後、先端の折り返しを戻して閉鎖具を取り付け、パウチの排出口を塞ぐ。便器５に排出された汚物及びペーパを流す。便器５の水流で流れない部分に付着した汚物は、再び洗浄ユニット２０で洗い流す。
【００６５】
使用者は、汚物の排出や洗浄などが終了した後、吐水ヘッド２１を内部ホルダ４６に戻すとともに、ホース２２をフック４７に掛け、洗浄ユニット２０を収納室３１内に収納する。そして、椅子４４を折り畳んで保持部３５に戻し、扉３２を閉じる。
【００６６】
このように、洗浄ユニット２０を収納することで、例えば、トイレ空間ＴＳの美観の低下を抑制できる。例えば、オストメイトであることが周囲に認知されてしまうことを抑制できる。
【００６７】
図５（ａ）及び図５（ｂ）は、外部ホルダの変形例を模式的に表す平面図である。  
図５（ａ）及び図５（ｂ）に表したように、外部ホルダ４０は、図示を省略したレールなどを介してスライド移動することにより、図５（ａ）に表す第１位置と、図５（ｂ）に表す第２位置と、に移動する。このように、外部ホルダ４０は、スライド可能に棚板３４の下面に取り付けて第１位置及び第２位置に移動させてもよい。
【００６８】
図６（ａ）及び図６（ｂ）は、外部ホルダの別の変形例を模式的に表す平面図である。  図６（ａ）及び図６（ｂ）に表したように、外部ホルダ４０は、ペーパホルダ４２に設けてもよい。この例では、外部ホルダ４０が、ペーパホルダ４２の紙押さえ４２ａに設けられている。外部ホルダ４０は、紙押さえ４２ａの裏面にスライド可能に取り付けられ、スライド移動により第１位置と第２位置とに移動する。
【００６９】
このように、外部ホルダ４０は、ペーパホルダ４２に設けてもよい。また、この例では、ペーパホルダ４２が棚板３４に取り付けられている。ペーパホルダ４２は、例えば、トイレ空間ＴＳの壁面に取り付けてもよい。この場合、外部ホルダ４０の第１位置は、ペーパホルダ４２に隠れる位置とし、第２位置は、少なくとも一部がペーパホルダ４２から突き出て吐水ヘッド２１の保持を可能にする位置としてもよい。
【００７０】
さらには、外部ホルダ４０自体をトイレ空間ＴＳの壁面に取り付けてもよい。但し、この場合には、外部ホルダ４０が不要時にも外部に露出してしまう。従って、外部ホルダ４０は、上記のように、棚板３４やペーパホルダ４２に隠せるようにすることが好ましい。
【００７１】
また、外部ホルダ４０は、棚板３４やペーパホルダ４２に対して着脱可能とし、必要な時だけ取り付けて吐水ヘッド２１を保持できるようにし、不要な時には収納室３１に収納するようにしてもよい。
【００７２】
トイレ用洗浄装置１０は、例えば、キャビネット３０と手洗い器５０とがトイレ空間ＴＳ内に既に設置してある場合には、洗浄ユニット２０を追加することによって構成してもよい。
【００７３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ用洗浄装置１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７４】
５ 便器、  ６ 衛生洗浄装置、  １０ トイレ用洗浄装置、  ２０ 洗浄ユニット、  ２１ 吐水ヘッド、  ２２ ホース、  ２３ 第２操作部、  ３０ キャビネット、  ３１ 収納室、  ３２ 扉、  ３３ 給水部、  ３４ 棚板、  ３５ 保持部、  ３６ 第１操作部、  ３７ 分岐配管、  ４０ 外部ホルダ、  ４２ ペーパホルダ、  ４４ 椅子、  ４６ 内部ホルダ、  ４７ フック、  ４８ トレイ、  ５０ 手洗い器、  ５１ 水栓、  ５２ ボウル、  ５３ 排水管、  ＴＳ トイレ空間
【図１】
2015104492.tif 000003
【図２】
2015104492.tif 000004
【図３】
2015104492.tif 000005
【図４】
2015104492.tif 000006
【図５】
2015104492.tif 000007
【図６】
2015104492.tif 000008